(57)【要約】      （修正有）【課題】容易に組み立てることができる組立式物品棚において、より簡易な構成であって、物品棚を幅方向に拡張する場合に棚板が段違いにならない組立式物品棚を提供する。【解決手段】幅方向に間隔をあけて位置する一対の側枠と、一対の側枠間に架け渡される棚板３と、一対の側枠の背面に接続固定される間隔固定部材とを備えた組立式物品棚であって、各側枠は、奥行き方向の前後に位置する前支柱および後支柱と、前後の支柱間に固定して架け渡されている横桟７とを含み、横桟７は、その上面に凹部９を含み、棚板３は、その幅方向両端部から下方に突出し、幅方向両側に位置する横桟の凹部内に嵌り込む凸部８を含む。【選択図】図６
0003142635.tif 000002
【実用新案登録請求の範囲】
【請求項１】
幅方向に間隔をあけて位置する一対の側枠と、前記一対の側枠間に架け渡される棚板と、前記一対の側枠の背面に接続固定される間隔固定部材とを備えた組立式物品棚であって、
前記各側枠は、奥行き方向の前後に位置する前支柱および後支柱と、前記前後の支柱間に固定して架け渡されている横桟とを含み、
前記横桟は、その上面に凹部を含み、
前記棚板は、その幅方向両端部から下方に突出し、幅方向両側に位置する前記横桟の凹部内に嵌り込む凸部を含む、組立式物品棚。
【請求項２】
前記凹部は、所定の幅で奥行き方向に延びる溝であり、
前記凸部は、前記溝幅よりも小さい厚みで奥行き方向に延びるプレートである、請求項１に記載の組立式物品棚。
【請求項３】
前記溝は、前記横桟のほぼ全長に渡って延びており、
前記プレートは、奥行き方向に離れて位置する前方プレートおよび後方プレートを含む、請求項２に記載の組立式物品棚。
【請求項４】
前記プレートは、前記棚板の幅方向最外端に位置し、その厚みは、前記溝幅の１／２以下である、請求項２または３に記載の組立式物品棚。
【請求項５】
幅方向に間隔をあけて位置する第１側枠、第２側枠および第３側枠と、
前記第１側枠と前記第２側枠との間に架け渡される第１棚板と、
前記第２側枠と前記第３側枠との間に架け渡される第２棚板と、
前記第１、第２および第３側枠の背面に接続固定される間隔固定部材とを備え、
前記各側枠は、奥行き方向の前後に位置する前支柱および後支柱と、前記前後の支柱間に固定して架け渡されている横桟とを含み、
前記横桟は、その上面に凹部を含み、
前記第１棚板は、その幅方向両端部から下方に突出し、前記第１および第２側枠の横桟の凹部内に嵌り込む凸部を含み、
前記第２棚板は、その幅方向両端部から下方に突出し、前記第２および第３側枠の横桟の凹部内に嵌り込む凸部を含む、組立式物品棚。
【請求項６】
前記凹部は、所定の幅で前記横桟のほぼ全長に渡って延びる溝であり、
前記凸部は、前記棚板の幅方向最外端に位置し、その厚みが前記溝幅の１／２以下で奥行き方向に延びるプレートである、請求項５に記載の組立式物品棚。
【考案の詳細な説明】
【技術分野】
【０００１】
本考案は、物品を載せる棚板と、棚板の端部を支える側枠と、一対の側枠間の間隔を固定する間隔固定部材とを備え、簡便に組み立てることができる組立式の物品棚に関する。
【背景技術】
【０００２】
簡便に組み立てることができる物品棚であって、しかも棚板の配置および枚数を自由に選択することができ、さらに棚板の両端部をそれぞれ支える２個１対の側枠を、物品棚の幅方向に複数個整列配置させて物品棚の幅方向にも拡張することができる物品棚としては従来、実用新案登録第３１２１４０７号公報（特許文献１）に示すものがある。
【０００３】
特許文献１の組立式物品棚Ａを正面から見た状態を図８に模式的に示す。組立式物品棚Ａは、棚板Ｂ１、一対の側枠Ｃ１，Ｃ１、図示しない筋交ロッドを用意し、左右の側枠Ｃ１の丸棒状横桟Ｄに棚板Ｂ１の嵌合溝Ｅを嵌合することによって容易に組み立てられる。さらに、側枠Ｃ１と同様の側枠Ｃ２を物品棚の幅方向に整列配置させ、隣り合う側枠Ｃ１，Ｃ２間に棚板Ｂ１と同様の棚板Ｂ２を跨って嵌合することによって、物品棚の幅方向に拡張することが可能になり、並んで配置された物品棚同士を棚板Ｂ２で容易に連結できるというものである。
【特許文献１】実用新案登録第３１２１４０７号公報
【考案の開示】
【考案が解決しようとする課題】
【０００４】
しかし、上記従来のような組立式物品棚にあっては、以下に説明するような２つの問題を生ずる。１つ目の問題として、物品棚の奥行き方向に延びる横桟Ｄを奥行き全長に渡り丸棒に加工しなければならない。また、物品棚の幅方向に架け渡される棚板Ｂ１、Ｂ２の幅方向端部に、横桟Ｄの外径と略同じ内径円弧で窪んだ嵌合溝Ｅを奥行き全長に渡り形成しなければならない。したがって多くの円弧面を加工しなければならず、構造が複雑になる。したがって、多くの加工工数を要し製造工程が煩雑である。
【０００５】
２つ目の問題として、図８に示すように棚板Ｂ１、Ｂ２が段違いになる。つまり、側枠Ｃ１が支持する一方側の棚板Ｂ１と側枠Ｃ２が支持する他方側の棚板Ｂ２とが不連続になってしまう。このため、組立式物品棚Ａを幅方向に拡張するときに、棚板Ｂ１，Ｂ２を同じ高さで連続して架け渡すことができず、棚板Ｂ１，Ｂ２のレイアウトが制限されてしまう。
【０００６】
本考案は、上述の実情に鑑み、より簡易な構造の組立式物品棚を提供する。また、棚板が段違いにならないよう、棚板を同じ高さで連続して接続することができる組立式物品棚を提供するものである。
【課題を解決するための手段】
【０００７】
この目的のため本考案による組立式物品棚は、幅方向に間隔をあけて位置する一対の側枠と、一対の側枠間に架け渡される棚板と、一対の側枠の背面に接続固定される間隔固定部材とを備えた組立式物品棚であって、各側枠は、奥行き方向の前後に位置する前支柱および後支柱と、前後の支柱間に固定して架け渡されている横桟とを含み、横桟は、その上面に凹部を含み、棚板は、その幅方向両端部から下方に突出し、幅方向両側に位置する横桟の凹部内に嵌り込む凸部を含む。
【０００８】
かかる本考案によれば、横桟の上面に凹部を含み、棚板の幅方向両端部から下方に突出する凸部を含むことから、従来のような多くの円弧面を不要にして、より簡易な構造で組立式物品棚を提供することが可能になる。つまり、横桟および棚板の製造工程において、加工工数を減ずることが可能になり、製造工程における煩雑さを解消することができる。
【０００９】
横桟の凹部および棚板の凸部は１実施形態に限られない。例えば、横桟の凹部は所定の幅で奥行き方向に延びる溝であって、棚板の凸部は、横桟の溝幅よりも小さい厚みで奥行き方向に延びるプレートであってもよい。これにより、棚板が横桟に対し物品棚の幅方向にずれることがないよう確実に嵌合することが可能になる。しかも、溝が奥行き方向に延びることから、プレートが溝に容易に嵌まり込む。したがって、棚板の奥行き方向における位置決めが不要になって、物品棚を簡便に組み立てることができる。
【００１０】
好ましくは、横桟の溝は、横桟のほぼ全長に渡って延びており、棚板のプレートは、奥行き方向に離れて位置する前方プレートおよび後方プレートを含む。これにより、横桟と棚板との連結を益々確実にして、物品棚を構造的に強固なものにすることができる。
【００１１】
より好ましくは、プレートは、棚板の幅方向最外端に位置し、その厚みは、溝幅の１／２以下である。これにより、２枚のプレートを重ねて溝に嵌め込むことが可能になり、１本の横桟が２枚の棚板を支持するよう物品棚を組み立てることができる。
【００１２】
また本考案による組立式物品棚は、物品棚の幅方向に間隔を開けて位置する第１側枠、第２側枠および第３側枠と、第１側枠と第２側枠との間に架け渡される第１棚板と、第２側枠と第３側枠との間に架け渡される第２棚板と、第１、第２および第３側枠の背面に接続固定される間隔固定部材とを備え、各側枠は、奥行き方向の前後に位置する前支柱および後支柱と、前後の支柱間に固定して架け渡されている横桟とを含み、横桟は、その上面に凹部を含み、第１棚板は、その幅方向両端部から下方に突出し、第１および第２側枠の横桟の凹部内に嵌り込む凸部を含み、第２棚板は、その幅方向両端部から下方に突出し、第２および第３側枠の横桟の凹部内に嵌り込む凸部を含む。
【００１３】
かかる本考案によれば、１本の横桟が２枚の棚板を支持することが可能になることから、複数の組立式物品棚を幅方向に整列して配置する場合、棚板を幅方向に連続して拡張することができ、棚板の段違いを解消することができる。
【００１４】
横桟の凹部および棚板の凸部は１実施形態に限られない。例えば、横桟の凹部は、所定の幅で横桟のほぼ全長に渡って延びる溝であり、棚板の凸部は、棚板の幅方向最外端に位置し、その厚みが溝幅の１／２以下で奥行き方向に延びるプレートである。
【００１５】
これにより、棚板の奥行き方向における位置決めが不要になってプレートが溝に容易に嵌まり込むこと、棚板が横桟に対し物品棚の幅方向にずれることがないよう確実に嵌合すること、および２枚のプレートを重ねて溝に嵌め込むことが可能になり、棚板が幅方向に連続した物品棚を簡便に組み立てることができる。
【考案の効果】
【００１６】
このように本考案は、横桟はその上面に凹部を含み、棚板はその幅方向両端部から下方に突出し、幅方向両側に位置する横桟の凹部内に嵌り込む凸部を含むことから、より簡易な構造の物品棚を提供することができる。また、組立式物品棚を幅方向に拡張するときに、棚板を同じ高さで連続して架け渡すことが可能になるばかりでなく、棚板を自在に配置することができる。
【考案を実施するための最良の形態】
【００１７】
以下、本考案の実施の形態を、図面に示す実施例に基づき詳細に説明する。図１は、本実施例になる組立式物品棚を示す斜視図である。また図２は、同実施例の組立式物品棚の背面を示す背面図である。また図３は、組立途中の組立式物品棚を示す斜視図である。
【００１８】
組立式物品棚１は、幅方向に間隔をあけて位置する一対の側枠２，２と、一対の側枠２，２間に架け渡される棚板３と、一対の側枠の背面に接続固定される間隔固定部材４とを備える。
【００１９】
側枠２は、組立式物品棚１の奥行き方向の前後に位置する前支柱５および後支柱６と、前後の支柱５，６間に固定して架け渡されている横桟７とを含む。このように横桟７は奥行き方向に延びる。側枠２に固定される横桟７の本数は、特に限定されるものではないが、本実施例では５本とする。また、横桟７の高さ方向間隔を一定間隔にして、すべての側枠２を同一寸法で製作する。
【００２０】
横桟７は、その上面に凹部を含む。また棚板３は、その幅方向両端部から下方に突出し、幅方向両側に位置する横桟７の凹部内に嵌り込む凸部を含む。図示はしなかったが、棚板３の凸部は、例えばピンでもよい。また、横桟７上面の凹部は、例えばピン受け入れ孔でよい。このような構成であれば、棚板３および横桟７の加工工数を従来の物品棚よりも少なくすることができる。
【００２１】
より好ましくは、棚板３の凸部は奥行き方向に延びるプレートであり、横桟７の凹部は、奥行き方向に延びる溝である。
【００２２】
組立式物品棚１は、予め用意された２個以上の木製の側枠２と、１枚以上の木製の棚板と、１個以上の間隔固定部材４とを組み立てることによって完成する。まず図３に示すように、２個の側枠２を平行に向かい合わせて設置面に立てて一対とし、木ネジで後支柱６，６同士を間隔固定部材４で接続固定する。間隔固定部材４は例えば金属製の筋交い（メタルブレース）であり、一対の側枠２，２が倒れ変形することを防止する。間隔固定部材４を接続固定した側（図２）は、物品棚の背面になる。
【００２３】
次に図１に示すように、一対の側枠２の横桟７の間に棚板３を架け渡す。このようにすべての横桟７に棚板３を架け渡す他、一部の横桟７に棚板３を架け渡してもよい。図４は、棚板３の裏面を示す斜視図である。棚板３は、幅方向両端部から下方に突出するプレート８を有する。プレート８はＬ字状の金具であって、その一方端を棚板３の裏面に木ネジで固定されて、その他方端が幅方向両端部から下方に突出する。またプレート８は奥行き方向に延び、好ましくは図４に示すように、棚板３の幅方向最外端に位置し、前方プレート８ａおよび後方プレート８ｂを奥行き方向に離れて配置する。
【００２４】
図５は、横桟７に棚板２を架け渡した状態を示す断面図である。横桟７の断面形状は特に限定されないが、好ましくは矩形である。横桟７の上面には、溝９が刻設されている。溝９は所定の溝幅で奥行き方向に延びる。プレート８の厚みは、溝９の溝幅よりも小さく、棚板３の凸部になるプレート８は、図５に示すように横桟７の凹部になる溝９内に嵌まり込む。これにより、棚板３の幅方向両端部を横桟７の上面に載せたときに棚板３が横桟７に対し物品棚の幅方向にずれることがないよう確実に係合することが可能になる。
【００２５】
図５に示すように、溝９は２本あって、横桟７の幅方向中央部に互いに平行に配置されてもよいが、より好ましくは図６に示すように、溝９は１本であって、横桟７の幅方向中央に配置される。これにより、溝９の加工工数が減少し、製造工程を一層簡略にすることができる。
【００２６】
さらに好ましい実施例として、溝９は、横桟７のほぼ全長に渡って延びる。これにより、棚板３の奥行き方向における位置決めが不要になってプレート８が溝９に容易に嵌まり込む。したがって、物品棚を簡便に組み立てることができる。また、プレート８は、奥行き方向に離れて位置する前方プレート８ａおよび後方プレート８ｂを含む（図４）。これにより、横桟７と棚板３との連結を益々確実にして、物品棚１を構造的に強固なものにすることができる。
【００２７】
さらに好ましくは図６に示すように、プレート８は、棚板３の幅方向最外端に位置し、プレート８の厚みは溝９の溝幅の１／２以下である。これにより、溝９にプレート８を２枚重ねて嵌め合わすことが可能になり、１本の横桟７が２枚の棚板３を支持することができる。したがって、棚板３を連続して接続することができ、物品棚を拡張する際の段違いを解消することができる。
【００２８】
本実施例の物品棚によれば、上述したように組立時には側枠２を間隔固定部材４で接続固定し、下方に突出するプレート８を溝９に嵌め込むことにより、棚板３が横桟７にしっかりと架け渡され、容易に組み立てることができる。また物品棚の解体時も、上述とは逆の手順を実行することにより、容易に解体することができる。
【００２９】
なお図５および図６には、１本の横桟７が２枚の棚板３を支持する状態を示すが、１本の横桟７が１枚の棚板３を支持する場合であっても、プレート８を溝９に同様に嵌め込めばよい。
【００３０】
さらに本実施例によれば、上述した図１〜図３に示す２個１対の側枠２を備える物品棚の他、複数個の側枠２を、物品棚の幅方向に整列配置して、物品棚を幅方向に拡張することができる。図７は、側枠２と同様の側枠２１，２２，２３を３本備えた組立式物品棚１１を例示する正面図である。
【００３１】
第１側枠２１、第２側枠２２および第３側枠２３は、幅方向に間隔をあけて位置される。第１側枠２１と第２側枠２２との間には、棚板３と同様の第１棚板３１が架け渡される。第２側枠２２と第３側枠２３との間には、棚板３と同様の第２棚板３２が架け渡される。図示しない間隔固定部材４は、第１、第２および第３側枠２１，２２，２３の背面に接続固定されればよく、例えば、第１側枠２１および第２側枠２２を接続固定する。また、図７に示す組立式物品棚１１よりもさらに多くの側枠２を整列配置して拡張する場合は、複数の間隔固定部材４を接続固定する。
【００３２】
図７に示す側枠２１〜２３の横桟７は、図６に沿って前述したように、溝９を幅方向中央に備える。第１棚板３１のプレート８は、第１側枠２１の溝９および第２側枠２２の溝９に嵌まり込む。第２棚板３２のプレート８は、第２側枠２２の溝９および第３側枠２３の溝９に嵌まり込む。このときプレート８の厚みが溝９の溝幅の１／２以下であることから、図７に示すように、第１棚板３１のプレート８と第２棚板３２のプレート８は相互に隣接しつつ溝９に共に嵌まり込む。溝９を横桟７の幅方向中央に配置したことにより、第２側枠２２の横桟７は、幅方向一方側で第１棚板３１の幅方向端を支持し、他方側で第２棚板３２の幅方向端を支持する。
【００３３】
本実施例の組立式物品棚１１によれば、第１棚板３１は、その幅方向両端部から下方に突出し、第１側枠２１および第２側枠２２の横桟７の凹部９内に嵌り込む凸部８を含み、第２棚板３２は、その幅方向両端部から下方に突出し、第２側枠２２および第３側枠２３の横桟７の凹部９内に嵌り込む凸部８を含むことから、第１棚板３１および第２棚板３２を連続して接続することが可能になり、棚板３１，３２の段違いを解消することができる。しかも、図示しない第４側枠、第５側枠・・・を物品棚１１の幅方向に整列配置しても、棚板３を図７に破線で示すように同じ高さで連続して拡張することができる。
【００３４】
従来の物品棚を拡張した場合、図８に示すように、１対の側枠Ｃ１，Ｃ１間に架け渡す棚板の枚数が側枠Ｃ１の横桟Ｄの本数よりも少なく、２枚の棚板Ｂ１、Ｂ１間や棚板Ｂ２、Ｂ２間に大きな隙間が生じていた。しかしながら本実施例によれば図７に示すように、拡張した組立式物品棚１１であっても、一対の側枠２１，２２間に横桟７の本数と同じ枚数の棚板３１、３２を架け渡すことができることから、棚板３の配置を密にして、多くの物品を棚板７上に陳列することができる。
【００３５】
組立式物品棚１１の好ましい実施例として、横桟７の凹部は、所定の幅で横桟７のほぼ全長に渡って延びる溝９である。これにより、棚板３１，３２の奥行き方向における位置決めが不要になってプレート８が溝９に容易に嵌まり込む。したがって、物品棚を簡便に組み立てることができる。
【００３６】
また、棚板３１，３２の凸部は、棚板３１，３２の幅方向最外端に位置し、その厚みが溝９の溝幅の１／２以下で奥行き方向に延びるプレートである（図４）。これにより、横桟７と棚板３１，３２との連結を益々確実にして、物品棚１１を構造的に強固なものにすることができる。
【００３７】
以上、図面を参照してこの考案の実施形態を説明したが、この考案は、図示した実施形態のものに限定されない。図示した実施形態に対して、この考案と同一の範囲内において、あるいは均等の範囲内において、種々の修正や変形を加えることが可能である。
【産業上の利用可能性】
【００３８】
本考案は、組立式の物品棚に適用可能である。
【図面の簡単な説明】
【００３９】
【図１】本考案の実施例になる組立式物品棚を示す斜視図である。
【図２】同実施例の組立式物品棚の背面を示す背面図である。
【図３】同実施例の組立途中の組立式物品棚を示す斜視図である。
【図４】同実施例の棚板の裏面を示す斜視図である
【図５】同実施例の横桟に棚板を架け渡した状態を示す断面図である。
【図６】同実施例の横桟に棚板を架け渡した状態を示す断面図である。
【図７】本考案の変形例になる側枠を３本備えた組立式物品棚を例示する正面図である。
【図８】従来の拡張された組立式物品棚を示す正面図である。
【符号の説明】
【００４０】
１，１１  組立式物品棚、２，２１，２２，２３  側枠、３，３１，３２  棚板、４  間隔固定部材、５  前支柱、６  後支柱、７  横桟、８  プレート（凸部）、８ａ  前方プレート、８ｂ  後方プレート、９  溝（凹部）。
【図１】
0003142635.tif 000003
【図２】
0003142635.tif 000004
【図３】
0003142635.tif 000005
【図４】
0003142635.tif 000006
【図５】
0003142635.tif 000007
【図６】
0003142635.tif 000008
【図７】
0003142635.tif 000009
【図８】
0003142635.tif 000010